(57)【要約】【課題】一本の硬質金属線材を屈曲して連続状かつ一体に成形することにより、頑強であって経年変化に優れ破損することもほとんどなく、また、金型が必要ないことから製作コストが抑えられ、しかも、一部品からなり在庫管理も容易となる弾球遊技機における固定部材を提供する。【解決手段】内枠１の後方へ突出した支持軸１７に嵌着されるコイル状の軸挿部１４と、該軸挿部１４から側方へ突出し前記内枠１に装着した遊技盤２の裏面に係止される係止部１５と、前記軸挿部１４から同じく側方へ突出するレバー部１６とからなり、これら軸挿部１４、係止部１５及びレバー部１６は一本の硬質金属線材９ａを屈曲して連続状かつ一体に成形された構成からなる。【選択図】図３
2006014869.tif 000002
【特許請求の範囲】
【請求項１】
内枠の後方へ突出した支持軸に嵌着されるコイル状の軸挿部と、前記軸挿部から側方へ突出し前記内枠に装着した遊技盤の裏面に係止される係止部と、前記軸挿部から同じく側方へ突出するレバー部とからなり、これら軸挿部、係止部及びレバー部は一本の硬質金属線材を屈曲して連続状かつ一体に成形されていることを特徴とする弾球遊技機における固定部材。
【発明の詳細な説明】
【技術分野】
【０００１】
この発明は、弾球遊技機の裏側に装着される遊技盤または機構板を取付固定するために使用する弾球遊技機における固定部材に関するものである。
【背景技術】
【０００２】
従来、例えば、弾球遊技機の一種であるパチンコ遊技機は、木枠の前側に内枠が装着される。そして、該内枠の裏面に遊技盤取付枠が設けられており、該遊技盤取付枠にその裏側から遊技盤が装着される。前記遊技盤取付枠には、その所定位置に嵌め込んだ遊技盤を固定するため固定部材が回動自在に装着されている（例えば、特許文献１参照。）。
【特許文献１】特開平８−３３６６５２号公報（第３−４頁、図８）
【発明の開示】
【発明が解決しようとする課題】
【０００３】
ところで、前記固定部材が合成樹脂材によって成形されていると、遊技盤取付枠に装着された状態では比較的外部に露出するので、遊技盤の着脱時などに該遊技盤が衝突して固定部材が破損するという危険性が有り、また、経年変化にも劣り強い締め付け力を長く維持しにくいという課題がある。更に、成形には金型を製作する必要があるので製作コストが高くなるばかりか、ビスを必要とするなど部品点数も複数になり在庫管理が面倒になるという課題がある。
【０００４】
そこで、本発明は上記課題を解決すべくなされたもので、一本の硬質金属線材を屈曲して連続状かつ一体に成形することにより、頑強であって経年変化に優れ破損することもほとんどなく、また、金型が必要ないことから製作コストが抑えられ、しかも、一部品からなることから在庫管理も容易となる弾球遊技機における固定部材を提供することを目的とするものである。
【課題を解決するための手段】
【０００５】
かかる目的を達成するため本発明の弾球遊技機における固定部材は、内枠の後方へ突出した支持軸に嵌着されるコイル状の軸挿部と、該軸挿部から側方へ突出し前記内枠に装着した遊技盤の裏面に係止される係止部と、前記軸挿部から同じく側方へ突出するレバー部とからなり、これら軸挿部、係止部及びレバー部は一本の硬質金属線材を屈曲して連続状かつ一体に成形された構成からなる。
【０００６】
本発明の固定部材は、遊技盤を固定する固定部材以外に、例えば、機構板を固定する固定部材としても同様に使用できるものである。
【発明の効果】
【０００７】
本発明に係る弾球遊技機における固定部材は、軸挿部、係止部及びレバー部を一本の硬質金属線材を屈曲して連続状かつ一体に成形するようにしたので、頑強であって破損することがほとんどなく経年変化にも優れ耐用年数が長くなる。また、合成樹脂成型のように金型が不要となるので、製作コストを低廉になし得るばかりか、一部品からなることから在庫管理も容易になるという有益な効果を有する。
【発明を実施するための最良の形態】
【０００８】
以下、本発明に係る弾球遊技機における固定部材の実施の形態を図面に基づき説明する。なお、弾球遊技機には、例えば、パチンコ遊技機、アレンジボールまたは雀球遊技機があるが、本発明にあっては、その一例としてパチンコ遊技機について説明する。図１は遊技盤を分解して示す内枠の裏面斜視図、図２は同内枠の裏面図である。
【０００９】
図示は省略するが、内枠１はパチンコ遊技機の前側に回動自在に装着され、この内枠１の前面に透明板保持枠や打球供給皿を装着した前面板が取り付けられる。また、この内枠１には、その後側から遊技盤２が装着され、更に、その後側に一側を支点にして球タンクや球払出装置を配設した機構板が回動自在に装着されることになる。
【００１０】
内枠１は、合成樹脂製であって中央に窓開口３を備えた方形枠状に成形される。また、内枠１の後面には多くの補強リブ４が格子状に設けられ、前記窓開口３の周囲を囲うようにして遊技盤取付枠６が一体に成形される。該遊技盤取付枠６は、窓開口３の下縁に沿って配置され遊技盤２の下端面を載せる支持板部５と残りの三側縁に沿って配置される取付枠部６ａ，６ａ，６ａとにより方形枠状に成形されている。遊技盤取付枠６の前後方向の幅は、遊技盤２の厚みとほぼ同じ寸法にしてある。窓開口３の下方には、その中央にパチンコ遊技機の前側と連通し景品球をその前側へ払い出すためのバケット７が装着され、また、その一側に打球発射装置８が装着されている。
【００１１】
前記遊技盤取付枠６の内、両側の取付枠部６ａ，６ａの側面であって所定位置に遊技盤２を固定するための固定部材９が装着される。このため、取付枠部６ａ，６ａの一側ではその中央部、また、他側では上下部にそれぞれ囲枠部１０が一体に設けられると共にその中央に位置して前後方向に通孔１１を貫設した保持筒部１２が設けられる。通孔１１に後記する支持軸１７がその前側から挿通される。保持筒部１２の前端部には、図５に示すように径の大きい段部１３が設けられ、また、保持筒部１２の後端面は取付枠部６ａの後端面とほぼ同じ位置になるように設定してある。
【００１２】
次に、本発明に係る固定部材９について説明する。図３に示すように固定部材９は一本の硬質金属線材９ａを屈曲して連続状かつ一体に成形される。そして、支持軸１７に嵌着されるコイル状の軸挿部１４と該軸挿部１４から側方へ突出し遊技盤２の裏面に係止される係止部１５と前記軸挿部１４から同じく側方へ突出するレバー部１６とからなる。
【００１３】
更に詳しく説明すると、硬質金属線材９ａとしては、例えば、線径約３ｍｍの鋼材またはステンレス製などの頑強でやや弾力性がある金属が選ばれる。そして、所定の内径でコイル状に複数回（３回）巻回して軸挿部１４が成形される。また、続いてその一端側を半円弧状に屈曲して軸挿部１４の側方へ突出させて、該軸挿部１４の中心軸に対して直交する面とほぼ平行をなす係止部１５が成形される。厳密には、この係止部１５は、軸挿部１４の他端側へやや下傾している。これは、遊技盤２の裏面に係止したとき、遊技盤２側へ傾いて該遊技盤２を弛むことなくしっかりと押さえ込むためである。
【００１４】
一方、前記軸挿部１４の他端側は、略楕円状に屈曲して軸挿部１４の側方へ突出させ、係止部１５とほぼ直交させるようにしてレバー部１６が成形される。しかも、レバー部１６が含まれる面は、前記係止部１５が含まれる面に対しほぼ直角に位置している。なお、固定部材９は左右の取付枠部６ａ，６ａでそれぞれ線対称の形状になるので、それらに合わせ、左右対称形状の一対の固定部材９，９が成形される。また、固定部材９は、屈曲加工装置により硬質金属線材６ａを屈曲させて所定の形状に成形される。
【００１５】
次に、固定部材９の取付方法について説明する。まず、内枠１の前側から保持筒部１２に螺子溝１７ａが先端に刻設された支持軸１７を挿通する。この際、支持軸１７の頭部１７ｂが段部１３に当接する。そして、取付枠部６ａの後端面よりも後方へ突出する支持軸１７に、係止部１５が軸挿部１４の後端に位置するようにして該軸挿部１４を嵌着する。更に、ワッシャ１８を介して弛み止め用のナット１９及び袋ナット２０をそれぞれ螺子溝１７ａに螺合する。このナット１９、袋ナット２０の締め加減は、コイル状の軸挿部１４のバネ力に抗して締め付け、装着される遊技盤２がしっかりと固定されるようにその強さが設定される。
【００１６】
そして、遊技盤２の取り付けに邪魔にならないように、レバー部１６を指で摘み図４想像線に示すように固定部材９を回動させて係止部１５を取付枠部６ａの外側に位置させておく。次に、内枠１の後側から遊技盤取付枠６に遊技盤２を嵌め込む。この状態で、レバー部１６を指で摘んで固定部材９を支持軸１７を中心として図４矢視方向へ回動させ、係止部１５を図４実線に示すように位置させる。
【００１７】
これにより、図５に示すように各係止部１５が遊技盤２の裏面に当接して係止し、しかも、コイル状に巻装される軸挿部１４のバネ力により遊技盤２を前方ヘ押圧して、遊技盤２をしっかりと固定する。逆に、遊技盤２を取り外すには、前記各固定部材９を逆方向へ回動させ、係止部１５の遊技盤２からの係止を解けば良い。
【００１８】
本発明に係る固定部材９は、軸挿部１４、係止部１５及びレバー部１６を一本の硬質金属線材を屈曲して連続状かつ一体に成形するようにしたので頑強であって、遊技盤２の着脱の際に、該遊技盤２が当接して破損するといったこともほとんどなく経年変化に優れ耐用年数を長くできる。また、合成樹脂成型のように金型が不要になるので製作コストを低廉になし得るばかりか、一部品からなることから在庫管理も容易となる。
【００１９】
本実施の形態にあっては遊技盤２を固定する固定部材９について説明したが、遊技盤取付枠６の一側に軸着され遊技盤２の裏面を覆う機構板（図示せず。）の固定にも、係止部１５により機構板の裏面を係止するようにして本実施の形態と同様に固定部材９が使用できること勿論である。
【図面の簡単な説明】
【００２０】
【図１】遊技盤を分解して示す内枠の裏面斜視図。
【図２】同内枠の裏面図。
【図３】同固定部材部位の拡大分解斜視図。
【図４】同作用を示す裏面図。
【図５】同作用を示す側面断面図。
【符号の説明】
【００２１】
１                      内枠
２                      遊技盤
９                      固定部材
９ａ                    硬質金属線材
１４                    軸挿部
１５                    係止部
１６                    レバー部
１７                    支持軸
【図１】
2006014869.tif 000003
【図２】
2006014869.tif 000004
【図３】
2006014869.tif 000005
【図４】
2006014869.tif 000006
【図５】
2006014869.tif 000007